(57)【要約】【課題】本発明は包装紙端部のギャザリング方法及び装置に関し、低コストであるにも係わらず綺麗なギャザリングを行うことができるようにすることを目的とする。【解決手段】支持円板１６上に中心に対して幾分オフセットしたガイドロッド２８が放射状に設けられ、隣接したガイドロッド２８間に包装紙押さえ板３０が円周方向に幾分傾斜して設けられ、ガイドロッド２８の対において包装紙押さえ板３０の内端３０−１は内側スライダ３３により一方のガイドロッド２８に摺動自在にされ、包装紙押さえ板３０の外端３０−２は外側スライダ３４により他方のガイドロッド２８に摺動自在にされる。内側スライダ３３はカム従動体としてのローラベアリング５６に連結され、ローラベアリング５６はカム円板４２のカム溝４８まで延びている。【選択図】　図３
2004106861.tif 000002
【特許請求の範囲】
【請求項１】
各々が円周方向に対して幾分傾斜し、円周方向に分布された包装シート押さえ板を幾分直立方向に回動させつつ一斉に半径内方に向けて被包装物の端面に沿って移動することにより、被包装物から筒状に突出した包装シートにおける包装シート押さえ板と当接する部分を被包装物の端面に押し付けつつ、被包装物の端面に押し付けられた部分の間において包装シートを襞状に形成し、その後、襞状部から包装シート押さえ板が抜去されるように被包装物と包装シート押さえ板とを相対回転させ、襞状部を被包装材端面に折り畳むことを特徴とする包装シートのギャザリング方法。
【請求項２】
被包装物から筒状に突出した包装シートのギャザリング装置であって、支持体と、支持体上に円周方向に分布するように複数設けられ、各々が円周方向に対して幾分傾斜した包装シート押さえ板と、それぞれの包装シート押さえ板を幾分直立方向に回動させつつ包装シート押さえ板を被包装物の端面に沿って半径内方に向けて一斉に移動させ、被包装物から筒状に突出した包装シートにおける包装シート押さえ板と当接する部分を被包装物の端面に押し付けつつ、被包装物の端面に押し付けられた部分の間において包装シートを襞状に形成する手段と、襞状部から包装シート押さえ板が抜去されるように被包装物と包装シート押さえ板とを相対回転させ、襞状部を被包装材端面に折り畳む手段とを具備する包装シートのギャザリング装置。
【請求項３】
支持体と、支持体に固定され、中心に対して放射状に延びた複数のガイド部材と、隣接するガイド部材の対毎にガイド部材間に円周方向に幾分傾斜するように配置された包装シート押さえ板と、包装シート押さえ板の内側端を各対のガイド部材の一方に摺動自在とする第１の摺動手段と、包装シート押さえ板の外側端を各対のガイド部材の他方に摺動自在とする第２の摺動手段と、第１の摺動手段を対応のガイド部材に沿って一斉に半径方向に摺動するべく駆動する摺動駆動手段と、包装シート押さえ板が隣接した襞状部から離間する方向に支持体と被包装物との間の相対的回転運動を得る手段とを備えた包装シートのギャザリング装置。
【請求項４】
請求項３に記載の発明において、前記摺動駆動手段は前記第１の摺動手段の各々にこれと一体に設けられたカム従動部材と、外方に湾曲しつつ放射状に延び、カム従動部材が係合するカム面を形成したカム面形成部材と、カム面形成部材の回転駆動手段とよりなり、カム面形成部材の回転によりカム面はカム従動部材をして第１の摺動手段をガイド部材に沿って摺動せしめるようにされていることを特徴とする包装シートのギャザリング装置。
【請求項５】
請求項４に記載の発明において、前記カム面形成部材の回転駆動手段はカム面形成部材と支持体との間に配置される流体シリンダ手段より成ることを特徴とする包装シートのギャザリング装置。
【発明の詳細な説明】
【０００１】
【発明の属する技術分野】
この発明は製紙の原反ロールなどの被包装物の周囲を包装紙などの包装シートにより包装する際の包装紙端部のギャザリング方法及び装置に関するものである。
【０００２】
【従来の技術】
製紙の原反に包装紙をロール状に巻き、原反の両端から筒状に突出した包装紙の部位をギャザリングする装置として、移動片を放射状に配置したものが公知である。移動片はボールねじと専用のサーボモータとを備えた型の送り機構に連結され、また、移動片の先端には常態では閉鎖しているがギャザリング時にシリンダ機構の駆動によりＶ字状に拡開する跳ね出し部材が設けられる。ギャザリング開始時に跳ね出し部材は閉鎖しており、この状態で各移動片をそれぞれのサーボモータによるボールねじの回転により半径内方に移動させ、閉鎖状態の跳ね出し部材により原反の両端から筒状に突出した包装紙を絞ってゆき、跳ね出し部材をＶ字状に拡開させることにより、跳ね出し部材に接触する包装紙の部分を原反の端面に押し付けることにより、原反に押し付けられた部位の間において包装紙を襞状に形成する。この状態において原反を回転させることにより襞状部は原反の端面に折り込まれ、ギャザリングが完成する（特許文献１参照）。
【０００３】
【特許文献１】
特開平２−２１９７１７号公報
【発明が解決しようとする課題】
従来技術では放射状に配置される各移動片は専用のサーボモータを備えて、各移動片に設置される跳ね出し部材をエアシリンダによりＶ字状に拡開させることにより包装紙を原反の端面に押し付けている。そのため、従来技術の構成では、移動片の個数分サーボモータ及びエアシリンダが必要となり、部品点数が増大することにより大幅なコスト増となる問題点があった。この発明は以上の問題点に鑑みてなされたものであり、低コストであるにも係わらず綺麗なギャザリングを行うことができるようにすることを目的とする。
【０００４】
【課題を解決するための手段】
請求項１に記載の発明によれば、各々が円周方向に対して幾分傾斜し、円周方向に分布された包装シート押さえ板を幾分直立方向に回動させつつ一斉に半径内方に向けて被包装物の端面に沿って移動することにより、被包装物から筒状に突出した包装シートにおける包装シート押さえ板と当接する部分を被包装物の端面に押し付けつつ、被包装物の端面に押し付けられた部分の間において包装シートを襞状に形成し、その後、襞状部から包装シート押さえ板が抜去されるように被包装物と包装シート押さえ板とを相対回転させ、襞状部を被包装材端面に折り畳むことを特徴とする包装シートのギャザリング方法が提供される。
【０００５】
請求項１の発明の作用・効果を説明すると、包装シート押さえ板の一斉移動による襞状部の形成及びこれに継続する包装シート押さえ板と被包装物の相対移動により被包装物に対する包装シート端部のギャザリングを綺麗にかつ効率的に実施することができる。
【０００６】
請求項２に記載の発明によれば、被包装物から筒状に突出した包装シートのギャザリング装置であって、支持体と、支持体上に円周方向に分布するように複数設けられ、各々が円周方向に対して幾分傾斜した包装シート押さえ板と、それぞれの包装シート押さえ板を幾分直立方向に回動させつつ包装シート押さえ板を被包装物の端面に沿って半径内方に向けて一斉に移動させ、被包装物から筒状に突出した包装シートにおける包装シート押さえ板と当接する部分を被包装物の端面に押し付けつつ、被包装物の端面に押し付けられた部分の間において包装シートを襞状に形成する手段と、襞状部から包装シート押さえ板が抜去されるように被包装物と包装シート押さえ板とを相対回転させ、襞状部を被包装材端面に折り畳む手段とを具備する包装シートのギャザリング装置が提供される。
【０００７】
請求項２の発明の作用・効果を説明すると、支持体上での包装シート押さえ板の一斉移動により襞状部を形成し、これに継続した支持体と被包装物の相対移動により、襞状部から包装シート押さえ板を抜去しつつ襞状部を被包装物端面に折り畳むことができ、包装シート端部のギャザリングを綺麗にかつ効率的に実施することができると共に電動モータやエアシリンダ等の高コストの部品点数削減により装置コストの低減を図ることができる。
【０００８】
請求項３に記載の発明によれば、支持体と、支持体に固定され、中心に対して放射状に延びた複数のガイド部材と、隣接するガイド部材の対毎にガイド部材間に円周方向に幾分傾斜するように配置された包装シート押さえ板と、包装シート押さえ板の内側端を各対のガイド部材の一方に摺動自在とする第１の摺動手段と、包装シート押さえ板の外側端を各対のガイド部材の他方に摺動自在とする第２の摺動手段と、第１の摺動手段を対応のガイド部材に沿って一斉に半径方向に摺動するべく駆動する摺動駆動手段と、包装シート押さえ板が隣接した襞状部から離間する方向に支持体と被包装物との間の相対的回転運動を得る手段とを備えた包装シートのギャザリング装置が提供される。
【０００９】
請求項３の発明の作用・効果を説明すると、放射状に延びた複数のガイド部材における連接したガイド部材の対毎に包装シート押さえ板は内端が一方のガイド部材に第１の摺動手段により連結され、外端が他方のガイド部材に第２の摺動手段により連結される。そのため、第１の摺動手段をガイド部材に沿って摺動させることで、一対のガイド部材間を包装シート押さえ板は姿勢を少しづつ直立させながら半径内方に一斉に移動される。そのため、原反の両端から筒状に突出した包装紙の部位は包装シート押さえ板により原反の端面に押し付けられ、包装シート押さえ板により原反の端面に押し付けられた原反の部位は襞状に形成される。その後、支持体と被包装物との間の相対的回転運動により包装シート押さえ板は近接した襞状部から離間方向に移動され、包装シート押さえ板により襞状部が原反端面上に折り畳まれ、ギャザリングが完成する。この発明では包装シート押さえ板は摺動駆動手段により一斉に駆動されることにより包装紙を原反端面に押し付け襞状部を形成しているため、駆動用のアクチュエータを最小の数で済ますことができ、低コストであるにも係わらず綺麗なギャザリング形状を得ることができる。
【００１０】
請求項４に記載の発明によれば、請求項２に記載の発明において、前記摺動駆動手段は前記第１の摺動手段の各々にこれと一体に設けられたカム従動部材と、外方に湾曲しつつ放射状に延び、カム従動部材が係合するカム面を形成したカム面形成部材と、カム面形成部材の回転駆動手段とよりなり、カム面形成部材の回転によりカム面はカム従動部材をして第１の摺動手段をガイド部材に沿って摺動せしめるようにされていることを特徴とする包装シートのギャザリング装置が提供される。
【００１１】
請求項４の発明の作用・効果を説明すると、隣接するガイド部材対毎にガイド部材間に円周方向に幾分傾斜して設けられる包装シート押さえ板の内端側の第２の摺動手段にカム従動部材を設け、このカム従動部材に回転カム面を係合させることによりガイド部材に沿った第１の摺動手段の摺動運動が得られ、その結果、包装シート押さえ板は内端側では第１の摺動手段によりガイド部材に摺動自在に案内され、外端側では隣接したガイド部材に第２の摺動手段により摺動自在に案内されていることから、包装シート押さえ板はその半径内方への移動の間に少しずつ立ち上がりながら包装シートを原反端面に押し付けてゆく。カム機構を使用することにより最小数の原動機構（エアシリンダなど）により包装シート押さえ板の一斉移動を行わしめることができる。
【００１２】
請求項５に記載の発明によれば、請求項３に記載の発明において、前記カム面形成部材の回転駆動手段はカム面形成部材と支持体との間に配置される流体シリンダ手段より成ることを特徴とする包装シートのギャザリング装置が提供される。
【００１３】
請求項５の発明の作用・効果を説明すると、襞状部の折り畳みのための支持体の回転角度は包装シート押さえ板の設置数にもよるが３０度程度であり、流体シリンダ手段により低コストでかつ確実な折り畳み作動を得ることができる。
【００１４】
【発明の実施の形態】
図１において、１０は被包装材としてのロール状原反であり、包装シートとしての包装紙１２によって包囲されている。包装紙１２は原反１０から軸線方向に突出した筒状部１２ａを有しており、この発明のギャザリング装置１４は包装紙１２におけるこの筒状部１２ａを絞ることにより襞状に形成し、この襞状部を原反１０の端面に折り畳むことによりギャザリングを行うためのものである。
【００１５】
ギャザリング装置１４は支持円板１６（この発明の支持体）を備え、支持円板１６は支持軸１８上に固定される。支持軸１８は支持台２０に回転自在に軸支されると共に、スプロケット２２及びチェーン２３を介し回転駆動モータ２４（この発明の相対的回転運動を得る手段）の出力軸２４−１上のスプロケット２６に連結される。そのため、回転駆動モータ２４の出力軸２４−１の回転はスプロケット２６、チェーン２３及びスプロケット２２を介し支持軸１８に伝達され、支持円板１６を３０度といった所定角度回転せしめる。
【００１６】
支持円板１６に加えてこの発明のギャザリング装置１４は、更に、放射状の多数のガイドロッド２８と、包装紙押さえ板（この発明の包装シート押さえ板）３０を備える。各ガイドロッド２８は図２に示すように中心軸に対して幾分オフセットするように延びており、外側端はブラケット３２Ａにより、内側端はブラケット３２Ｂにより、それぞれ支持円板１６上に固定されている。各包装紙押さえ板３０はガイドロッド２８の隣接対毎に設けられ、図２に示すように外側に張り出した円弧状をなし、かつ円周方向に幾分傾斜しており、内端３０−１と外端３０−２（図２及び図３参照）とを呈している。隣接する一対のガイドロッド２８において、包装紙押さえ板３０の内端３０−１は円周方向の一側におけるガイドロッド２８上の内側スライダ３３（この発明の第１の摺動手段）に連結され、包装紙押さえ板３０の外端３０−２は円周方向の他側におけるガイドロッド２８上の外側スライダ３４（この発明の第２の摺動手段）に連結される。内側及び外側スライダ３３，　３４はケーシングの内部にリニアベアリング３５（図４参照）を内蔵しており、ガイドロッド２８上でのスムースな直線運動が可能である。内側スライダ３３のケーシングは内側連結棒３６の一端のフランジ部３６−１にボルト３８などにより固定され、内側連結棒３６の他端のフランジ部３６−２（図３参照）は包装紙押さえ板３０の内端３０−１に回転可能に連結される。包装紙押さえ板３０とフランジ部３６−２とを回転可能とするためフランジ部３６−２は図示しないがローラベアリングを内蔵しており、包装紙押さえ板３０からピンがローラベアリングのインナレースに延びている。外側スライダ３４のケーシングは外側連結棒４０の一端の筒状フランジ部４０−１（図４）にボルト４１などの固定具により固定され、外側連結棒４０の他端の筒状フランジ部４０−２（図３）は包装紙押さえ板３０の外端３０−２に回転可能に連結される。包装紙押さえ板３０とフランジ部４０−２とを回転可能とするためフランジ部４０−２も図示しないがローラベアリングを内蔵しており、包装紙押さえ板３０からピンがローラベアリングのインナレースに延びている。このようにして、支持円板１６上の隣接する一対のガイドロッド２８間における包装紙押さえ板３０の回動式の取付けが行われている。
【００１７】
支持円板１６の外側において支持軸１８上にカム円板４２がそのボス部４２−１において軸受４４によって回転自在に取付けられている。カム円板４２の外周に沿った適当に間隔を置いた部位において支持円板１６上に内側にスリットを形成した振れ止め金具４６が固定され、カム円板４２の外周が振れ止め金具４６のスリットに延びている。そのため、支持円板１６に対するカム円板４２の回転を許容しつつカム円板４２の振れ止め機能を得ることができる。図５に示すようにカム円板４２はガイドロッド２８と同数の放射状の外向き湾曲状のカム溝４８を形成している。他方、図４に示すように内側スライダ３３のケーシングには連結棒５０が一端のフランジ部５０−１においてボルト５２により連結棒３６と同芯になるように固定されている。連結棒５０は支持板１６に放射状に形成される直線状スリット５４を介して外側に延出し、自由端にはカム従動体としてのローラベアリング５６がそのインナレースにて取付けられる。ローラベアリング５６はそのアウタレースが図３に示すように湾曲カム溝４８に位置している。
【００１８】
カム円板４２の駆動用のエアシリンダ５８は図２に示すように直径対立位置に略接線方向に点対称になるように一対設けられる。エアシリンダ５８はその本体が支持円板１６にブラケット６０（図１）により取付けられ、エアシリンダ５８のピストンロッド５８−１はブラケット６２によりカム円板４２に固定される。エアシリンダ５８のピストンロッド５８−１を図２の伸張状態から収縮させることにより支持円板１６に対してカム円板４２は図２の時計方向（矢印ａ方向）に回転され、包装紙押さえ板３０は半径内方に向けて一斉移動される。包装紙押さえ板３０のこの一斉移動の過程を図６によって詳細に説明すると、図２のエアシリンダ５８のピストンロッド５８−１が伸張した状態では図３に示すようにローラベアリング５６はカム溝４８の外端側に位置しており、隣接するガイドロッド２８の対において、スライダ３３，　３４は最も外周側に位置し、スライダ３３，　３４に内、外端３０−１，　３０−２がそれぞれ連結された包装紙押さえ板３０も半径方向における最も外側に位置している。図２のピストンロッド５８−１を収縮させてゆくとカム円板４２は支持円板１６に対して矢印ａの方向に回転し、図３においてローラベアリング５６と係合するカム溝４８の外向き湾曲形状故にローラベアリング５６は中心方向の力を受け、ローラベアリング５６に連結軸５０を介して連結された内側スライダ３３はガイドロッド２８上を中心に向けて矢印ｆのように摺動し、内側スライダ３３に内側連結棒３６を介して連結された包装紙押さえ板３０は中心側に牽引され、包装紙押さえ板３０の外端３０−２も同方向に牽引される。そして、包装紙押さえ板３０のこの外端３０−２は対となる隣接したガイドロッド２８上の外側スライダ３４に外側連結棒４０を介して連結されている。そのため、図６においてカム円板４２の矢印ａの方向への回転につれて、包装紙押さえ板３０は半径内方に向けて順次（イ）（ロ）（ハ）（ニ）（ホ）のように移動して行き、その際、隣接する対となるガイドロッド２８の間の間隔が徐々に狭まってゆくため、この間隔の縮小を補償するべく包装紙押さえ板３０の半径内方に向けての（イ）（ロ）（ハ）（ニ）（ホ）の如き移動につれて包装紙押さえ板３０は徐々に立ち上がって（円周方向に対する傾斜角度を大きくして）行く。
【００１９】
図１において支持軸１８は原反側の端部において位置決め板６４を供えている。位置決め板６４は図示しないベアリングによって支持軸１８に軸支されている。そのため、ギャザリング装置１４の軸方向の位置決めを行いつつ同装置のスムースな回転運動を確保することができる。
【００２０】
次に、この発明の装置による包装紙のギャザリングについて説明すると、図１において原反１０の外周には包装紙１２が巻かれており、その両端１２ａは原反１０の端面から筒状に突出している。そして、支持台２０は原反１０の端面から離間して位置している。エアシリンダ５８は最初はそのピストンロッド５８−１は伸張状態にあり、このとき包装紙押さえ板３０は図１に示すように最も半径方向の外側に位置している。このときの包装紙押さえ板３０は半径方向において原反１０より外側に位置している。ギャザリング開始前における原反１０の端面側よりみた包装紙押さえ板３０と原反１０との位置関係は図７（イ）に示す。
【００２１】
次いで、図１において支持台２０は原反１０の端面に向けて移動され、支持軸１８の端部の位置決め板６４が原反１０の端面における中心部に当接することにより支持台２０の移動は停止される。この停止位置においては包装紙押さえ板３０は軸線方向において原反１０の端面よりわずか外側に位置している。
【００２２】
次に、エアシリンダ５８への空気圧の切替によりピストンロッド５８−１は最伸張状態から収縮を開始し、カム円板４２が支持円板１６に対して矢印ａ方向に回転することによりカム溝４８によりカム従動体としてのローラベアリング５６が半径内方に移動せしめられ、図６（イ）〜（ホ）に関連して既に説明したように隣接した一対のガイドロッド２８上で内側スライダ３３及び外側スライダ３４が半径内方に摺動し、包装シート押さえ板３０はその姿勢を徐々に直立させつつ（円周方向に対する傾斜を増しつつ）半径内方に徐々に移動してゆく。この過程において、先ず、図７の（ロ）で示すように包装紙押さえ板３０はその内端が原反１０の端面からの包装紙の筒状突出部１２ａを円周方向における間隔をおいた部位で押し下げ、その結果、包装紙の筒状突出部１２ａは原反端面から見て円周方向に波状に絞られる。
【００２３】
図７の（ロ）から包装紙押さえ板３０の半径内方への移動が（ハ）〜（ヘ）と進んでゆくと、包装紙押さえ板３０に当接した包装紙の部分１２ａ−１は原反１０の端面に押し付けられ、原反１０の端面に押し付けられた包装紙の部分１２ａ−１の間では包装紙の部分１２ａ−２は襞状に形成され、包装紙押さえ板３０の半径内方への移動につれて包装紙押さえ板３０の先端はこの襞状の部分１２ａ−２に徐々に食い込んで行く。隣接する包装紙押さえ板３０間では一方の包装紙押さえ板３０の内端の上方に他方の包装紙押さえ板３０の外端が位置していることから襞状部１２ａ−２はこれを形成する包装紙押さえ板３０に隣接する包装紙押さえ板３０により上から押さえられるため、襞状部１２ａ−２は原反の端面に向けて折り畳まれて行く傾向を呈する。図７の（ト）は、図２のエアシリンダ５８のピストンロッド５８−１の収縮が最大となったとき、即ち、包装紙押さえ板３０の半径方向における最内側位置（図６の（ホ）に相当する位置）を示す。
【００２４】
次に、図７の（ト）の状態から図１のモータ２４の駆動によって支持円板１６及びその上のガイドロッド２８及びその上の包装紙押さえ板３０並びにカム円板４２は回転され、この回転方向は図７の（ト）の矢印ｂにて示し、この回転方向ｂは包装紙押さえ板３０がそれが形成した襞状部１２ａ−２から抜去されてゆく回転方向である。包装紙押さえ板３０の内端がそれが形成した襞状部１２ａ−２から抜去されてゆくと、襞状部１２ａ−２は回転方向の下流側の包装紙押さえ板３０により上から押し付けられるため、襞状部１２ａ−２は原反端面に押し付けられ、最終的には（チ）に示すように、包装紙押さえ板３０は襞状部１２ａ−２から完全に抜去され、原反１０の端面上への襞状部１２ａ−２の折り畳みは完了される。包装紙押さえ板３０を襞状部１２ａ−２から完全に抜去させるために要する回転角度は３０度程度であるからこの実施形態のような回転モータ２４の代りに空気圧若しくは油圧シリンダ機構を採用することが可能である。
【００２５】
最後に、図１において支持台２０は原反端面から軸線に沿って離間する方向に移動され、次の原反のギャザリングの準備のためエアシリンダ５８（図１）への空気圧が切り替えられ、ピストンロッド５８−１は伸張される。すると、図２及び図３においてカム円板４２は矢印ａと反対方向に回転せしめられ、図３においてカム溝４８によってローラベアリング５６は半径外方（矢印ｆと反対方向）に駆動され、ローラベアリング５６に連結軸５０にて連結されたスライダ３３はガイドロッド２８に沿って半径外方に移動するよう付勢され、この力は包装紙押さえ板３０の外端３０−２に連結された外側スライダ３４に伝達され、外側スライダ３４は対応のガイドロッド２８上を半径外方に摺動駆動される。そのため、包装紙押さえ板３０は一斉に半径外方に向けて移動し、その際、その包装紙押さえ板３０に対応する一対のガイドロッド２８間の間隔が拡開して行くため、半径外方への包装紙押さえ板３０の一斉移動につれて各包装紙押さえ板３０は図６の（ホ）、（ニ）、（ハ）、（ロ）の順で寝る方向（円周方向に対する傾斜角度を小さくして行く方向）に回動してゆき、包装紙押さえ板３０が原反１０の半径外方位置まで拡開した図７（イ）と同様な初期位置（図６（イ））に復帰される。
【００２６】
以上説明した包装紙押さえ板３０の半径内方若しくは半径外方への移動はスライダ３３，　３４が対応のガイドロッド２８との間にリニアベアリング３５を備えていることからカジリなどを生ずることなく極めてスムースに行うことができる。
【００２７】
図８は原反１０の端面への包装シート１２のギャザリング（菊折り）が完了した状態を示す。
【図面の簡単な説明】
【図１】図１はこの発明のギャザリング装置の断面図である。
【図２】図２はこの発明のギャザリング装置における支持円板に対する包装紙押さえ板の配置状態を示しており、図１の大略ＩＩ−ＩＩ線に沿って表される矢視図である。
【図３】図３は図１及び図２のギャザリング装置における支持円板に対する包装紙押さえ板の取付け状態を模式的に示す斜視図である。
【図４】図４は図１の部分詳細図であり、支持円板上のガイドロッドに対するスライダの配置状態を説明するためのものである。
【図５】図５はカム円板におけるカム溝の配置を示しており、図１の大略Ｖ−Ｖ線に沿って表される矢視図である。
【図６】図６は図２の部分図であり、カム円板の回転時における包装紙押さえ板の移動状態（イ）〜（ホ）を示す。
【図７】図７は被包装物に対する包装紙押さえ板の状態を示し、図１の大略ＶＩＩ−ＶＩＩ線に沿って表される矢視図であり、包装紙のギャザリングの進行状況（イ）〜（チ）を段階を追って示すものである。
【図８】図８はギャザリング完成時の被包装物端面に対する包装紙の曲折状態を示す図である。
【符号の説明】
１０…ロール状原反
１２…包装紙
１２ａ…包装紙の筒状
１４…ギャザリング装置
１６…支持円板
１８…支持軸
２０…支持台
２４…回転駆動モータ
２８…ガイドロッド
３０…包装紙押さえ板
３２Ａ，　３２Ｂ…ブラケット
３３…内側スライダ
３４…外側スライダ
４２…カム円板
４６…振れ止め金具
４８…カム溝
５６…ローラベアリング
６４…位置決め板
【図１】
2004106861.tif 000003
【図２】
2004106861.tif 000004
【図３】
2004106861.tif 000005
【図４】
2004106861.tif 000006
【図５】
2004106861.tif 000007
【図６】
2004106861.tif 000008
【図７】
2004106861.tif 000009
【図８】
2004106861.tif 000010